(57)【要約】【課題】室内各領域に対する送風量を適宜調整できるようにする。【解決手段】室内機本体内に横流ファンと熱交換器とが配置され、横流ファンの外周面に対向して配置されて横流ファンにより室内に送風される空気の流れを発生させるノーズ部を備えた空気調和機の室内機において、ノーズ部は、横流ファンの回転軸方向に沿って複数の分割ノーズ部に分割され、個々の分割ノーズ部は、駆動機構により送風ファンの外周面との間のノーズ隙間を可変するように移動可能とされている。【選択図】図１
2010223506.tif 000002
【特許請求の範囲】
【請求項１】
吸込口と吹出口とを備えた室内機本体と、この室内機本体内に配置された熱交換器と、前記室内機本体内に配置されて室内の空気を前記吸込口から吸い込むとともに吸い込んだ空気を前記熱交換器を通して流通させて前記吹出口から室内に送風する横流ファンと、前記横流ファンの外周面に対向して配置されて前記横流ファンにより送風される空気の流れを発生させるノーズ部とを備えた空気調和機の室内機において、
前記ノーズ部は、前記横流ファンの回転軸方向に沿って複数の分割ノーズ部に分割され、個々の前記分割ノーズ部を前記送風ファンの外周面との間のノーズ隙間を可変するように移動させる駆動機構を備えることを特徴とする空気調和機の室内機。
【請求項２】
前記横流ファンは、複数のファンコマを連結して形成され、隣合う前記ファンコマの連結部分に対向する位置に前記分割ノーズ部の端部が位置していることを特徴とする請求項１記載の空気調和機の室内機。
【請求項３】
送風量を決める前記横流ファンの基準回転数を前記ノーズ隙間が最小の場合の値とし、送風量を下げる場合には前記ノーズ隙間を大きくすることを特徴とする請求項１又は２記載の空気調和機の室内機。
【請求項４】
前記分割ノーズ部の前記ノーズ隙間を周期的に変更する手段を備えることを特徴とする請求項１ないし３のいずれか一項に記載の空気調和機の室内機。
【発明の詳細な説明】
【技術分野】
【０００１】
本発明は、空気調和機の室内機に関し、特に、室内の各領域に対する送風量を適宜調整することができる空気調和機の室内機に関する。
【背景技術】
【０００２】
空気調和機の室内機は、吸込口と吹出口とが形成された室内機本体内に熱交換器や横流ファンが収容され、横流ファンを回転駆動させることにより室内の空気を吸込口から室内機本体内に吸込み、室内機本体内に吸い込んだ空気を熱交換器で熱交換し、熱交換されて温風又は冷風となった空気を吹出口から室内に送風している。
【０００３】
このような室内機には、横流ファンの回転時に室内に吹き出す空気の流れを発生させるためのノーズ部が設けられている。ノーズ部は、横流ファンの外周面に向けて突出する凸状に形成され、かつ、横流ファンの回転軸方向に沿った横流ファンの全幅に亘って形成されている。
【０００４】
横流ファンとノーズ部との関係において、横流ファンとノーズ部との間の隙間（ノーズ隙間）が大きいと、横流ファンの回転時に発生する空気の流れのうち、ノーズ隙間を通って横流ファンの吸い込み側に再度吸込まれる空気の流れ（再循環流れ）の割合が多くなり、吹出口から室内へ送風される送風量が減少するという問題が発生する。
【０００５】
一方、ノーズ隙間が小さいと、横流ファンの回転時騒音が大きくなるという問題が発生する。
【０００６】
したがって、ノーズ隙間は、室内への十分な送風量を確保でき、かつ、横流ファンの回転時騒音を抑えられる値に設定され、その値は固定されている。
【０００７】
さらに、ノーズ隙間は、横流ファンの回転軸方向に沿った横流ファンの全幅に亘って均一であり、吹出口から室内に送風される送風量は、吹出口の横幅方向の全幅に亘って一定となっている。
【０００８】
なお、下記特許文献１に記載されたように、ノーズ隙間を必要に応じて調整する機構を備えた室内機も知られている。しかし、この室内機においては、ノーズ隙間の調整は、横流ファンの全幅に亘って同じように行なわれる。
【先行技術文献】
【特許文献】
【０００９】
【特許文献１】特開２００４−２９３８１９号公報
【発明の概要】
【発明が解決しようとする課題】
【００１０】
従来の空気調和機の室内機によれば、吹出口から室内に送風される空気の送風量は、吹出口の横幅方向の全幅において均一であるため、室内の各領域に対して送風量を可変するという調整を行なうことはできなかった。例えば、空気調和機を冷房運転している室内に複数人が居る場合、暑さを感じる人が居る領域へは冷風の送風量を増し、寒さを感じる人が居る領域へは冷風の送風量を少なくするというような調整は行なえなかった。
【００１１】
本発明はこのような課題を解決するためになされたもので、その目的は、室内の各領域に対する送風量を適宜調整することができる空気調和機の室内機を提供することである。
【課題を解決するための手段】
【００１２】
本発明の実施の形態に係る第１の特徴は、吸込口と吹出口とを備えた室内機本体と、この室内機本体内に配置された熱交換器と、前記室内機本体内に配置されて室内の空気を前記吸込口から吸い込むとともに吸い込んだ空気を前記熱交換器を通して流通させて前記吹出口から室内に送風する横流ファンと、前記横流ファンの外周面に対向して配置されて前記横流ファンにより送風される空気の流れを発生させるノーズ部とを備えた空気調和機の室内機において、前記ノーズ部は、前記横流ファンの回転軸方向に沿って複数の分割ノーズ部に分割され、個々の前記分割ノーズ部を前記送風ファンの外周面との間のノーズ隙間を可変するように移動させる駆動機構を備えることである。
【発明の効果】
【００１３】
本発明によれば、ノーズ隙間を可変するように個々の分割ノーズ部を移動させることにより、室内の各領域に対する送風量を適宜調整することができる。
【図面の簡単な説明】
【００１４】
【図１】本発明の第１の実施の形態の室内機を示す斜視図である。
【図２】図１におけるＭ面の断面図である。
【図３】図１におけるＮ面の断面図である。
【図４】室内の各領域への送風状態を示す斜視図である。
【図５】横流ファンの回転時における空気の流れ方を示す側面図である。
【図６】本発明の第２の実施の形態の室内機を示す斜視図である。
【図７】本発明の第３の実施の形態におけるノーズ隙間と横流ファンの回転数と吹出口からの送風量との関係を示すグラフである。
【図８】回転数を変更して一部の領域への送風量を増大させるとともに他の領域で送風量を維持するためのノーズ隙間を大きくする場合について示すグラフである。
【図９】本発明の第３の実施の形態の動作を説明する模式図である。
【発明を実施するための形態】
【００１５】
以下、本発明の実施の形態を図面を用いて説明する。
【００１６】
（第１の実施の形態）
本発明の第１の実施の形態を、図１ないし図５に基づいて説明する。図１ないし図３に示すように、空気調和機の室内機１は中空の筐体である室内機本体２を有し、室内機本体２には、室内の空気を室内機本体２内に吸い込む吸込口３と、室内機本体２内に吸い込まれた空気を室内に送風する吹出口４とが形成されている。吹出口４には、室内に送風される空気の向きを左右方向に変える縦ルーバ５及び図示しない水平ルーバが設けられている。
【００１７】
室内機本体２内には、熱交換器６と横流ファン７とが配置され、さらに、ノーズ部８が設けられている。
【００１８】
熱交換器６は、内部に冷媒が流れており、吸込口３から吸い込まれた空気が熱交換器６のフィン間を通して流通することにより冷媒との間で吸熱又は放熱の熱交換が行なわれ、吸い込まれた空気が温風又は冷風となる。
【００１９】
横流ファン７は、水平方向に延出する回転軸をもって室内機本体２内に設置され、ファンモータ９により駆動されて回転軸の回りに回転し、吸込口３からの室内空気の吸い込みと、吹出口４から室内への空気の送風とを行なう。
【００２０】
ノーズ部８は、横流ファン７と吹出口４との間に配置され、横流ファン７の外周面に向けて突出する凸状に形成され、かつ、横流ファン７の回転軸方向に沿った横流ファン７の全長に亘って形成されている。
【００２１】
なお、横流ファン７の回転軸方向に沿った長さ寸法と、横流ファン７の回転軸方向に沿ったノーズ部８の長さ寸法と、吹出口４の横幅寸法とは略同じ寸法に形成されている。
【００２２】
また、ノーズ部８は、横流ファン７の回転軸方向に沿って二つに分割された分割ノーズ部８ａ，８ｂにより形成されている。各分割ノーズ部８ａ，８ｂは、横流ファン７の外周面に接離する方向に移動可能に設けられており、各分割ノーズ部８ａ，８ｂにはこれらの分割ノーズ部８ａ，８ｂを横流ファン７の外周面に対して接離する方向に移動させる駆動機構１０が連結されている。この駆動機構１０は、例えば、分割ノーズ部８ａ，８ｂに連結されたラックと、ラックに噛み合ったピニオンと、ピニオンを回転駆動させるモータ等により構成されている。
【００２３】
図２は、図１におけるＭ面の断面図であり、分割ノーズ部８ａが横流ファン７から離反した位置に移動し、分割ノーズ部８ａと横流ファン７との間のノーズ隙間１１が大きくなっている。一方、図３は、図１におけるＮ面の断面図であり、分割ノーズ部８ｂが横流ファン７に近接した位置に移動し、分割ノーズ部８ｂと横流ファン７との間のノーズ隙間１１が小さくなっている。
【００２４】
図５は、横流ファン７の回転時における空気の流れを示す側面図である。ノーズ部８が横流ファン７の外周面に対向していることにより、横流ファン７が回転軸の回りに回転した場合には横流ファン７の回転軸から偏心した位置を中心とする偏心渦が発生し、吸込口３から吸い込まれた空気が吹出口４から室内に送風される。偏心渦の流れの一部は、ノーズ隙間１１を通って横流ファン７の吸い込み側に再度吸い込まれる空気の流れ（再循環流）となる。ノーズ隙間１１が大きくなると、再循環流の割合が多くなり、吹出口４から室内に送風される送風量が減少する。
【００２５】
このような構成において、駆動機構１０を駆動させ、一方の分割ノーズ部８ａのノーズ隙間１１を図２に示すように大きくし、他方の分割ノーズ部８ｂのノーズ隙間１１を図３に示すように小さくする。なお、駆動機構１０の制御は、室内機１の運転を制御するリモコンの操作釦を切替操作することにより行なえる。
【００２６】
ノーズ隙間１１を大きくした分割ノーズ部８ａ側では、再循環流の空気量が多くなり、吹出口４から室内に送風される送風量（図１、図４に示す矢印Ａ）が減少する。一方、ノーズ隙間１１を小さくした分割ノーズ部８ｂ側では、再循環流の空気量が少なくなり、吹出口４から室内に送風される送風量（図１、図４に示す矢印Ｂ）が多くなる。
【００２７】
したがって、図４に示すように室内に二人の人物Ｐ１，Ｐ２が居り、一方の人物Ｐ１が室内機１からの送風量が少なくてよいと感じ、他方の人物Ｐ２が室内機１からの送風量が多いほうがよいと感じる場合には、人物Ｐ１側に位置する分割ノーズ部８ａのノーズ隙間１１を大きくし、人物Ｐ２側に位置する分割ノーズ部８ｂのノーズ隙間１１を小さくするようにリモコンを操作する。
【００２８】
これにより、人物Ｐ１が居る室内の領域への送風量を少なくすることができ、及び、人物Ｐ２が居る室内の領域への送風量を多くすることができ、室内に居る全ての人物に対して各人物の好みに応じた送風量を確保することができる。
【００２９】
なお、本実施の形態では、ノーズ部８を二つの分割ノーズ部８ａ，８ｂに分割した場合を例に挙げて説明したが、ノーズ部８を三つ以上に分割した場合でも本発明を適用することができる。
【００３０】
（第２の実施の形態）
本発明の第２の実施の形態を図６に基づいて説明する。なお、第２の実施の形態及び以下に説明する他の実施の形態において、先行して説明した実施の形態の構成要素と同じ構成要素には同じ符号を付け、重複する説明は省略する。
【００３１】
第２の実施の形態の基本的構成は第１の実施の形態と同じであり、異なる点は、ノーズ部８を三つの分割ノーズ部８ａ，８ｂ，８ｃに分割した点と、複数のファンコマ７ａを連結して形成された横流ファン７におけるファンコマ７ａの連結部分に対向する位置に隣合う分割ノーズ部８ａ，８ｂ，８ｃの端部を位置させた点である。
【００３２】
ファンコマ７ａは、円板状の側板プレート１２と、側板プレート１１に一体形成された複数の羽根１３とにより形成されており、複数のファンコマ７ａを溶着等により連結して横流ファン７が形成されている。
【００３３】
このような構成において、横流ファン７を回転駆動させた場合、各ファンコマ７ａの連結箇所である側板プレート１１が位置している部分では、風が発生しない。一方、隣合う分割ノーズ部８ａ，８ｂ，８ｃの端部では、隣合う分割ノーズ部８ａ，８ｂ，８ｃを横流ファン７に対して異なる接離位置に異動させた場合に段差が生じる。
【００３４】
しかし、隣合う分割ノーズ部８ａ，８ｂ，８ｃ間に段差が生じた位置と、ファンコマ７ａの連結部とが対向して位置することにより、分割ノーズ部８ａ，８ｂ，８ｃ間に段差が生じても、その段差は横流ファン７から室内に送風される送風量に対して影響を与えなくなる。したがって、ノーズ部８を複数の分割ノーズ部８ａ，８ｂ，８ｃに分割した場合でも、室内に送風される送風量に悪影響を与えることのない室内機１を提供することができる。
【００３５】
（第３の実施の形態）
本発明の第３の実施の形態を図７及び図８に基づいて説明する。第３の実施の形態の基本的構成は第１の実施の形態と同じであり、第３の実施の形態では、室内への送風量を決める横流ファン７の基準回転数をノーズ隙間１１が最小の場合の値とし、送風量を下げる場合には、送風量を下げる領域へ送風するために用いられる分割ノーズ部のノーズ隙間１１を大きくしている。
【００３６】
なお、ノーズ隙間１１の最小寸法は、横流ファン７が最大回転数で回転した場合でも回転時騒音を発生しない寸法とされている。
【００３７】
図７は、ノーズ隙間１１と吹出口４からの送風量と横流ファン７の回転数との関係を表わしたグラフである。なお、ノーズ隙間１１ａ，１１ｂ，１１ｃ，１１ｄの大小関係は、１１ａ＜１１ｂ＜１１ｃ＜１１ｄであり、ノーズ隙間１１ａがノーズ隙間１１の最小寸法である。
【００３８】
図７のグラフに示すように、横流ファン７の回転数が同じ場合には、ノーズ隙間１１が小さいほど吹出口４からの送風量が多くなる。また、ノーズ隙間１１が同じであれば、横流ファン７の回転数が大きくなるにつれて吹出口４からの送風量が多くなる。これにより、横流ファン７において回転時騒音を発生させることなく室内への各領域への送風量の調整を行なえる。
【００３９】
また、回転数を増大させて室内の一部の領域“Ｘ”への送風量を増大させるとともに他の領域“Ｙ”への送風量を維持するためには、図８に示すように、領域“Ｙ”へ送風するために用いられる分割ノーズ部のノーズ隙間１１を大きくする。
【００４０】
（第４の実施の形態）
本発明の第４の実施の形態を図９に基づいて説明する。第４の実施の形態の基本的構成は第１の実施の形態と同じであり、第４の実施の形態では、駆動機構１０（図２参照）を駆動させる制御部を有し、この制御部は、分割ノーズ部８ａ，８ｂ，８ｃのノーズ隙間１１を周期的に変更する手段を備えている。具体的には、設定された時間毎に各分割ノーズ部８ａ，８ｂ，８ｃを横流ファン７に対して接離する方向に移動させ、各分割ノーズ部８ａ，８ｂ，８ｃのノーズ隙間１１を設定時間毎に変化させている。
【００４１】
これにより、室内の各領域に対する送風量を時間の経過と共に自動的に変更することができ、室内に居る人物に対してより快適に感じる空調状態を提供することができる。図９において、矢印の大小は、各分割ノーズ部８ａ，８ｂ，８ｃに対応する領域に送風される送風量の大小を示している。
【符号の説明】
【００４２】
２      室内機本体
３      吸込口
４      吹出口
６      熱交換器
７      横流ファン
７ａ    ファンコマ
８      ノーズ部
８ａ，８ｂ，８ｃ  分割ノーズ部
１０      動機構
１１      ノーズ隙間
【図１】
2010223506.tif 000003
【図２】
2010223506.tif 000004
【図３】
2010223506.tif 000005
【図４】
2010223506.tif 000006
【図５】
2010223506.tif 000007
【図６】
2010223506.tif 000008
【図７】
2010223506.tif 000009
【図８】
2010223506.tif 000010
【図９】
2010223506.tif 000011